(57)【要約】【課題】音誘導チューブを有するイヤホンを提供する。【解決手段】音誘導チューブは、耳の横に外部チャンバを有している。音を直接耳に伝える従来型のイヤホンに比較して、本発明のイヤホンは、耳の外で音場を形成して、その後、音を音誘導チューブを通して特定の角度で耳の内部に伝える外部チャンバを有している。本発明のイヤホンは、ステレオ音源またはマルチチャンネル音源に適しており、イヤホンを長時間着用することによる、耳へのダメージを緩和する。【選択図】図３
2007329885.tif 000002
【特許請求の範囲】
【請求項１】
音誘導チューブを有するイヤホンであって、
外部チャンバと、
前記外部チャンバに接続され、ユーザの耳に挿入される耳挿入タイプ音誘導チューブと、
前記外部チャンバの第１の側に配置された第１のスピーカであって、前記外部チャンバの第２の側は、前記外部チャンバ内にスペースをつくるべく遮断され、前記第１のスピーカにより作られた音は、前記外部チャンバの前記スペース内にて音場を形成して、その後前記耳挿入タイプ音誘導チューブによりユーザの耳に伝えられる、前記外部チャンバの第１の側に配置された第１のスピーカと、
を含む音誘導チューブを有するイヤホン。
【請求項２】
前記耳挿入タイプ音誘導チューブは、ユーザの耳に、第１の方向に挿入され、前記第１のスピーカが音を作る方向は、前記第１の方向と、所定の角度を形成する、請求項１に記載のイヤホン。
【請求項３】
前記所定の角度は、９０度である請求項２に記載のイヤホン。
【請求項４】
前記第１のスピーカの前記音および周波数に従い前記外部チャンバの容量が決められる、請求項１に記載のイヤホン。
【請求項５】
プラスチックパッドが、ユーザの便宜上、前記耳挿入タイプ音誘導チューブ前部の外部に固定された請求項１に記載のイヤホン。
【請求項６】
前記外部チャンバ内の前記チャンバ内に音質に影響する反射音が作られるのを防ぐべく、前記外部チャンバの前記第２の側は、前記第１のスピーカにより作られた音を受信するよう音を吸収する素材により遮断される、請求項１に記載のイヤホン。
【請求項７】
前記外部チャンバ外部に、第２のスピーカおよび第３のスピーカが配置されたことを、更に含む請求項１に記載のイヤホン。
【請求項８】
前記外部チャンバの容量は、前記第１のスピーカ、前記第２のスピーカ、および前記第３のスピーカの前記音および周波数に従い決められる請求項７に記載のイヤホン。
【請求項９】
前記外部チャンバの外側に配置された延長チャンバと、
前記延長チャンバおよび前記外部チャンバ接合部の外側に配置された第４のスピーカと、
を更に含む請求項１に記載のイヤホン。
【請求項１０】
前記外部チャンバの容量は、前記第１スピーカ、前記第２スピーカ、前記第３スピーカ、および、前記第４スピーカの前記音および周波数に従い決められる請求項９に記載のイヤホン。
【請求項１１】
外部チャンバと、
ユーザの耳に挿入されるべく前記外部チャンバに接続された耳挿入タイプ音誘導チューブと、
複数のスピーカであって、前記スピーカの特性に従い前記外部チャンバの外部および両側側にそれぞれ配置され、前記外部チャンバ内にチャンバが形成されるチャンバと、前記スピーカにより作られる前期前記音によりが、前記外部チャンバ内の前記チャンバ内に音場を形成して、使用者ユーザの耳に前記耳挿入タイプ音誘導チューブを通して伝えられる、前記複数のスピーカと、
を含む音誘導チューブを有するイヤホン。
【請求項１２】
前記スピーカを前記外部チャンバの外部および両側に、前記スピーカの特性に従い配置する方法は、デジタルビデオディスク（ＤＶＤ）により提供される５．１チャンネル音源に従い前記スピーカを配置することである請求項１１に記載のイヤホン。
【請求項１３】
前記外部チャンバの外側に配置された延長チャンバをさらに含み、該延長チャンバおよび前記外部チャンバ接合部の別の側に前記１つのスピーカが配置され、前記延長チャンバ、および前記外部チャンバ内の前記チャンバが複合チャンバを形成する請求項１１のイヤホン。
【請求項１４】
前記外部チャンバの外部に配置されている延長チャンバと、
音チャンバであって、前記外部チャンバおよび前記延長チャンバの前記接合部の別の側に配置され、前記延長チャンバと前記外部チャンバ内の前記チャンバとが複合チャンバを形成する前記音チャンバと、
を更に含む請求項１１に記載のイヤホン。
【発明の詳細な説明】
【技術分野】
【０００１】
本発明は、イヤホンに関する。特に本発明は、音誘導チューブのチャンバ内にて音を生成し、聞き手の耳に音を伝える音誘導チューブを有するイヤホンに関する。  
【背景技術】
【０００２】
従来のイヤホンは、スピーカの音を直接聞き手の内耳に１８０度の角度で伝える。長い時間着用すると、聞き手の内耳を痛めることがあり、例えば、聞き手の試聴に障害等をきたす可能性もある。図１は、従来のイヤホンを示す。図１の従来のイヤホン１００によれば、スピーカは、イヤホンケース１２０に配置され、信号回路１３０を介し音源に接続されている。イヤホン１００が使用される時は、イヤホンケース１２０およびスピーカ１１０は、耳に挿入される。スピーカ１１０およびイヤホンケース１２０の一部は、耳に入れなければならないので、スピーカ１１０がイヤホンケース１２０内に持てるチャンバサイズは、厳しく制限される。従って、大空間での音響効果、または、マルチチャンネル音響効果は達成できない。
【発明の開示】
【発明が解決しようとする課題】
【０００３】
ユーザが大空間での音響効果、またはマルチチャンネル音響効果を望む場合、図２に示すような、大きな耳栓型でないヘッドホンを使用することができる。従来型ヘッドホン２００によれば、１つ、あるいは複数スピーカ（図示せず）が、大容量ケース２１０および２２０に配置されており、ヘッドホンカバー２１２および２２２は、信号が信号回路２３０を通して内部スピーカに伝達された後、音を聞き手の耳に伝える。但し、イヤホンに比較して、この様な従来型ヘッドホン２００は、大き過ぎて今日一般に普及しているポータブル音楽プレーヤ、またはビデオプレーヤには適していない。従って、いかにして大空間効果およびマルチチャンネル効果を有する小容量イヤホン付の小型で軽量なポータブル音楽プレーヤ、またはビデオプレーヤをユーザに持ち運ばせるかということが、当業界の主目的となっている。
【課題を解決するための手段】
【０００４】
従って、本発明は、音誘導チューブを有するイヤホンを提供することを目的とする。音誘導チューブを有するイヤホンは、スピーカにより生成された音を、チャンバ内の音場に形成し、その音を、音誘導チューブを通して聞き手の内耳に特定角度にて伝える。これにより、長時間イヤホンを着用する聞き手の試聴障害リスクを減少する。
【０００５】
本発明によれば、イヤホンのチャンバは耳の外に配置されているので、スピーカのサイズは、スペースの制限によってではなく、必要条件により調節できる。
【０００６】
本発明にて提供されるイヤホンによれば、イヤホンがステレオ音源を受信するのに使用される時に、理想的なオーディオ波形を保つようチャンバ容量が計算されている限り音は耳に直接伝わらないので、耳を保護する。更に、チャンバが耳の外にあるので、チャンバ容量は耳の構造により制限されず、より高出力およびより高性能なスピーカを、必要条件を満たすべく使用することができる。
【０００７】
本発明にて提供されるイヤホンによれば、スピーカの位置は調節でき、さらにチャンバの必要容量は、スピーカの音および周波数特性に従い計算することができる。
【０００８】
本発明にて提供されるイヤホンは、延長チャンバにより形成される複合チャンバを有しており、スピーカの位置を異なる延長チューブにより調節し、必要なチャンバ容量をスピーカの音および周波数に従い、計算する。
【０００９】
本発明にて提供されるイヤホンによれば、チャンバは、独立した音場を大きくするべく延長チューブの外部に付けられ、チャンバは、複合音場を外部チャンバ音誘導チューブの内側に形成された主チャンバと共に形成する。
【００１０】
本発明の、上記説明およびその他の目的、特徴、および優位点利点を分かり易くするべく、添付図面と共に好ましい実施例が、以下詳細に説明されている。
【００１１】
上記の一般説明および以下の詳細説明は、例であり、特許請求の範囲にかかる本発明の更なる説明を提供することを意図している。
【００１２】
添付図面は、本発明の更なる理解を提供するべく含まれており、本明細書の一部として取り入れられている。図面は、本発明の実施例を図解しており、明細書と共に本発明の原理を説明する。
【図面の簡単な説明】
【００１３】
【図１】従来のイヤホンを示す。
【００１４】
【図２】従来のヘッドホンを示す。
【００１５】
【図３】本発明の実施例に従い、音誘導チューブを有するイヤホンを示す。
【００１６】
【図４Ａ−４Ｂ】本発明の別の実施例に従い、音誘導チューブを有するイヤホンを示す。
【００１７】
【図５Ａ−５Ｅ】本発明のさらに別の実施例に従い、音誘導チューブを有するイヤホンを示す。
【００１８】
【図６】本発明のさらに別の実施例に従い、音誘導チューブを有するイヤホンを示す。
【００１９】
【図７】本発明のさらに別の実施例に従い、音誘導チューブを有するイヤホンを示す。
【００２０】
【図８Ａ】本発明のさらに別の実施例に従い、音誘導チューブを有するイヤホンを示す。
【００２１】
【図８Ｂ−８Ｇ】複数の異なる角度からのイヤホンの図を示す。
【発明を実施するための最良の形態】
【００２２】
本発明は、スピーカからの音を直接耳内に約１８０度の角度で伝える従来のイヤホンとは異なる、音誘導チューブを有するイヤホンを提供する。本発明にて提供されるイヤホンによれば、スピーカは、特定の角度、例えば、内耳に対し９０度、に配置され、さらにスピーカにより出される音は、チャンバ内にて音場に形成され、聞き手の内耳の内部チャンバに音誘導チューブにより伝えられる。こうすることにより、イヤホンを長時間着用することによる聞き手の内耳へのダメージ、例えば、聞き手の試聴を損なうことを減少する。例として、今日のＭＰ３プレーヤ、およびＩＰｏｄ音楽プレーヤは、大変ポピュラーであるが、これらは、もし長時間着用した場合、ユーザの試聴にダメージを与える可能性もある。
【００２３】
本発明にて提供される音誘導チューブを有するイヤホンは、従来のイヤホンとは異なる。
本発明内のイヤホンのチャンバは、外耳の外にあるので、チャンバは、スペースによる制限でなく、必要条件によって調節できる。従って、本発明のイヤホンは、ステレオスピーカ、または、複数スピーカから構成されるマルチチャンネルのスピーカに適している。本発明のイヤホンが、ステレオ音源を受信するのに使用される場合、理想的なオーディオ波形を保持するべく適切なチャンバ容量が計算されているならば、音を直接耳に伝えるより、耳は保護される。従来のイヤホンは、ユーザの外耳にあり、使用されるスピーカがユーザへ影響を与えるかどうか考慮しなければならないので、例えば、小出力のスピーカを使用しなければならないこともあり、ある程度制限されている。本発明の音誘導チューブを有するイヤホンでは、そのチャンバが、外耳の外にありチャンバの容量は、内耳の構造により制限されないので、高出力および高性能なスピーカを、必要条件を満たすべく採用することができる。
【００２４】
本発明の音誘導チューブを有するイヤホンを、マルチチャンネルマルチチャンネルシステムに使用すれば、そのチャンバは、スピーカの位置により調節でき、スピーカの特徴に従い最適な音場を作ることができる。さらに、マルチチャンネルイヤホンでは、重厚なサラウンド効果、または重厚な低音効果を、チャンバ内の高さおよび幅の比率を調節することにより、効果的に作ることができる。
言い換えれば、音誘導チューブのチューブ直径は、要求された音質および音量を達成すべく音誘導チューブにより作られる必要のある計算された音誘導容量に従い、調節される。上記のチャンバ容量を調節することによる音質改善の技術は、以下の本発明の発明者により出願された中華民国特許出願にて参照できる。
【特許文献１】出願番号９３１０７６２１  発明の名称「複合音場のついたイヤホン」出願日２００４年３月２２日。
【特許文献２】出願番号９３１１１９８５  発明の名称「複合音場のついたイヤホン」出願日２００４年４月２９日。
【特許文献３】出願番号９４１０３５５３  発明の名称「マルチチャンネルイヤホン」出願日２００５年２月４日。
【特許文献４】出願番号９５１０５６０９  発明の名称「複合チャンネルイヤホン」出願日２００６年２月２０日。これ以前の開示内容は、ここに追加されているので、詳細は再度説明しない。
【００２５】
以下、本発明により提供される音誘導チューブを有するイヤホン、および異なる音誘導チューブ構造を有する本発明により提供されるイヤホンの様々な設計を、いくつかの実施例を引用して説明する。
下記の説明にあるイヤホンは、ステレオ音源を受信するイヤホンおよびマルチチャンネル音源を受信するイヤホンを含む。
【００２６】
図３は、本発明の実施例に従い、音誘導チューブを有するイヤホンの片側しか示していない。しかし、当業者は、ここに示されていない反対側の構造も、ここに示されている片側と同じであることを当然理解できるはずであるため、説明はされない。イヤホン３００は、ステレオスピーカ３２０を配置する穴３１２、およびユーザの外耳に挿入される、耳挿入タイプ音誘導チューブ３１４を有する外部チャンバ３１０を含む。耳挿入タイプ音誘導チューブ３１４は、ユーザの外耳にＡ方向に挿入され、音はユーザの耳に、耳挿入タイプ音誘導チューブ３１４の発音穴３１６を通して伝わる。必要なチャンバ容量は、スピーカ３２０の音および周波数に従い計算できる。チャンバ容量は、音誘導チューブ３１０の長さＬおよび内部直径Ｒ、および、耳挿入タイプ音誘導チューブの長さおよび内部直径に従い計算できる。
【００２７】
本発明の音誘導チューブを有するイヤホン内では高出力スピーカを使用することができる。さらに重厚なサラウンド効果、および、重厚な低音効果を、外部チャンバの高さおよび幅の比率を調節することにより、効果的に作ることができる。図４Ａおよび図４Ｂは、本発明の別の実施例に従い、音誘導チューブを有するイヤホンを示す。図４Ｂに示されているイヤホン構造は、図４Ａに示されているイヤホン構造を１８０度反転した側面である。イヤホンの１つの側面しか図４Ａおよび図４Ｂに示されていない。しかし、当業者には理解できるであろうが、イヤホンの他の側面の構造も同様であり、ここでは説明されていない。
【００２８】
イヤホン４００は、シリンダ形状の外部チャンバ４１０、側面の穴に配置されたマルチチャンネルスピーカ４２０、およびユーザの外耳に挿入できる耳挿入タイプ音誘導チューブ４１４を含む。反射音を吸収する素材、例えば、音を吸収するスポンジ、をスピーカ４２０が配置されている外部チャンバの反対側に反射音を吸収するべく配置することができる。これによりスピーカ４２０の音量が大きくなり過ぎ、外部チャンバ４１０内に反射音を作り、音質に影響を与えるかもしれないこと、を防止する。この様な方法は、例えば、ノイズ処理に使用することができる。
【００２９】
耳挿入タイプ音誘導チューブ４１４は、ユーザの外耳にＡ方向に挿入され、音はユーザの耳に、耳挿入タイプ音誘導チューブ４１４の発音穴４１６を通して伝わる。イヤホンユーザが、より快適に着用できるよう、耳挿入タイプ音誘導チューブ４１４の前部は、プラスチックソフトパッド４１８により発音穴４１６の外側に固定することができる。図に示すように、スピーカ４２０は、信号回路４７０から信号を得る。スピーカ４２０は、外部チャンバ４１０のサイズに従い高出力のスピーカにすることができる。
【００３０】
さらに、音を吸収する素材４３０、例えば、音を吸収するスポンジ、をスピーカ４２０が配置されている外部チャンバ４１０の別の反対側に反射音を吸収するべく配置することができる。これによりスピーカ４２０の音量が大きくなり過ぎ、外部チャンバ４１０内に反射音を作り、音質に影響を与えないようにすることもできる。この様な方法は、例えば、ノイズ処理に使用することができる。
【００３１】
マルチチャンネル音源に適した複数のスピーカを、外部チャンバ４１０の外側に、例えば、デジタルビデオディスク（ＤＶＤ）の５．１チャンネル音源を使えるように配置することができる。もちろん、本発明は、５スピーカに制限されてはいない。代わりに、ユーザの音質要求に従いスピーカを追加することができ、あるいは、他のオーディオ、ビデオ装置からの音源、例えば、６．１チャンネル音源、または、７．１チャンネルも採用することができる。例として、スピーカ４４０および４６０が示されている、あるいは外部チャンバ４１０の外側に配置されている延長チャンバ４５０、および、別のスピーカ４５２が、延長チャンバ４５０の外側に追加されている。この様なスピーカの配置は、環境、またはイヤホン４００に必要な低音効果に従い調節できる。マルチチャンネル音源イヤホンのデザインに関しては、本発明の発明者にて出願されている前記の特許出願を参照して頂き、ここでは、詳細は説明しない。
【００３２】
イヤホン４００に必要なチャンバ容量は、スピーカ４２０、４４０、４５２、および４６０、またはデザイン要求に従い追加されたスピーカの音および周波数特性に従い計算することができる。
チャンバ容量は、シリンダ形状の外部チャンバ４１０の高さ、および内部直径を調節することにより調節できる。
【００３３】
以下、本発明の音誘導チューブを有するイヤホンを複数システムに適用した場合について説明している。そこではイヤホンのチャンバはスピーカの位置に従い、スピーカの特性に従い最適な音場を作るべく、調節することができる。
さらに、チューブのサイズは、必要な音質および音量をもたらすべく、外部チャンバにより作られる必要のある計算された音場に従い調節できる。
【００３４】
図５Ａは、本発明のさらに別の実施例に従い、音誘導チューブを有するイヤホンを示す。本発明のイヤホンの１つの側面しか図５Ａにて示されていない。しかし、当業者には理解できるであろうが、イヤホンの他の側面の構造も同様であり、ここでは説明されていない。イヤホン５００は、マルチチャンネルのスピーカ配置をするべく穴５１１、５１３、５１５、５１７、および５１９を有する外部チャンバ５１０を含む。イヤホン５００は、ユーザの外耳に挿入できる耳挿入タイプ音誘導チューブ５１２、および発音部穴５１４を、さらに含む。イヤホン５００は、ユーザの外耳にＡ方向に挿入され、音はユーザの耳に、耳挿入タイプ音誘導チューブの穴５１４を通して伝わる。イヤホン５００に必要なチャンバ容量は、スピーカの音および周波数特性に従い計算することができる。チャンバ容量は、外部チャンバ５１０の長さＬおよび内部直径Ｒ、および、耳挿入タイプ音誘導チューブ５１４の長さおよび内部直径に従い計算できる。イヤホン５００の構造をより良く理解するべく、図５Ｂは、Ｉ−Ｉ’方向でのイヤホン５００前面図を示す。図５Ｃは、Ｉ−Ｉ’方向でのイヤホン５００上面図を示す。図５Ｄは、Ｉ−Ｉ’方向でのイヤホン５００後面図を示す。図５Ｅは、Ｉ−Ｉ’方向でのイヤホン５００左側面図を示し、これはＩＩ−ＩＩ’の方向である。
【００３５】
本実施例では、外部チャンバ５１０に配置されたスピーカ用の穴５１１、５１３、５１５、５１７、および５１９は、主にデジタルビデオディスク（ＤＶＤ）の５．１チャンネル音源に従い配置されている。もちろん、本発明は、５つのスピーカの配置に制限されてはいない。代わりに、ユーザの音質要求に従いさらにスピーカを追加することができ、あるいは他のオーディオ、ビデオ装置からの音源、例えば、６．１チャンネル音源、または、７．１チャンネルも採用することができる。さらにスピーカの数は、要求条件に従い調節できる。配置されたスピーカ用の穴５１１、５１３、５１５、５１７、および、５１９の位置は、最適の音場を作るべくスピーカの特性に従い調節できる。例として、図５Ａにあるように、第１および第２メインスピーカが、それぞれ穴５１３、および５１７の位置に配置されていれば、サブウーハは、穴５１５の位置に配置され、サラウンドスピーカは、穴５１１の位置に配置され、さらにセンタスピーカは、穴５１９の位置に配置される。
【００３６】
一実施例では、外部チャンバ５１０に、１つの小さい穴、または複数の穴から構成される穴のセットを形成することができる。これは５２０にて示すが、外部チャンバ内にできた音圧を開放してより良い音場効果をもたらす。
【００３７】
本発明は、音誘導チューブを有するイヤホンを提供する。イヤホンは、延長チャンバにより形成される複合チャンバを有しており、スピーカの位置を異なる延長チューブにより調節することができ、必要なチャンバ容量をスピーカの音および周波数に従い、計算する。
【００３８】
図６は、本発明のさらに別の実施例に従い、音誘導チューブを有するイヤホンを示す。図６は、本発明の音誘導チューブを有するイヤホンの片側しか示していない。しかし、当業者は、反対側の構造も、同じであることを当然理解できるはずであるため、説明はされない。イヤホン６００は、マルチチャンネルのスピーカ配置をするべく穴６１１、６１３、６１５、６１７、および６１９を有する外部チャンバ６１０を含む。イヤホン６００は、ユーザの外耳に挿入することができる耳挿入タイプ音誘導チューブ６１２、および、発音部穴６１４を、さらに有する。イヤホン６００は、ユーザの外耳にＡ方向に挿入され、音はユーザの耳に、耳挿入タイプ音誘導チューブ６１２の穴６１４を通して伝わる。イヤホン６００および図５Ａのイヤホンの違いは、複合チャンバを形成するべく延長チューブが追加されていることである。図に示すように、スピーカを配置するべく穴６１５および６１９は、それぞれ延長チューブの両端６２０および６３０に位置している。
【００３９】
スピーカの特性に従い、必要なチャンバ容量の計算をする以外にも、異なるチャンバを、延長チューブ６２０および６３０に従い形成することができる。主チャンバは、外部チャンバ６１０内に形成されている。延長チャンバは、それぞれ、延長チューブ６２０および６３０により形成されており、必要なチャンバ容量は、スピーカの音および周波数特性により計算される。
【００４０】
一実施例では、延長チューブ６２０および６３０に、１つの小さい穴、または複数の穴から構成される穴のセットを、音圧を開放してより良い音場効果をもたらすべく、形成することができる。
【００４１】
図７は、本発明のさらに別の実施例に従い、音誘導チューブを有するイヤホンを示す。図７は、本発明のイヤホンの片側しか示していない。反対側のイヤホンの構造も、図７に示されているものと同じであり、従って詳細は説明はされない。イヤホン７００は、マルチチャンネルのスピーカ配置をするべく穴７１１、７１３、７１５、７１７、および７１９を有する外部チャンバ７１０を含む。イヤホン７００は、ユーザの外耳に挿入できる耳挿入タイプ音誘導チューブ７１２、および、発音部穴７１４を、さらに含む。イヤホン７００は、ユーザの外耳にＡ方向に挿入され、音はユーザの耳に、耳挿入タイプ音誘導チューブ７１２の穴７１４を通して伝わる。イヤホン７００および図５Ａのイヤホンの違いは、複合チャンバを形成するべく延長チューブが追加されていることである。図に示すように、スピーカを配置するべく穴７１５は、延長チューブの端７２０に位置している。さらに、イヤホン７００および図６のイヤホンの違いは、音チャンバ７３２が、延長チューブ７３０の後に更に追加され、スピーカを配置するべく穴７１９が、音チャンバ７３２の側壁に位置していることである。
【００４２】
スピーカの特性に従い、必要なチャンバ容量の計算をする以外にも、延長チューブ７２０により形成された異なるチャンバに従い、独立した音場を音チャンバ７３２内に形成することができる。主チャンバは、外部チャンバ７１０内に形成されており、延長チャンバは、それぞれ、延長チューブ７２０および音チャンバ７３２内部に複合音場を形成するべく、形成されている。必要なチャンバ容量は、スピーカの音および周波数特性により計算される。
【００４３】
本発明によれば、音誘導チューブを有するイヤホンは、ユーザの便宜上異なる外観にてデザインすることができる。例として、図８Ａに示すように、イヤホンは、３Ｄ６角形にデザインされている。図８Ａは、本発明により提供されるイヤホンの片側しか示していない。しかし、当業者は、イヤホンの反対側の構造も、図８Ａに示されているものと同じであることを当然理解できるはずであるため、詳細は、ここでは説明はされない。イヤホンは、図８Ａ〜図８Ｆにあるように、複数点からの図を引用して説明されている。図８Ｂは、Ｉ−Ｉ’方向での前面図を示す。図８Ｃは、Ｉ−Ｉ’方向での後面図を示す。図８Ｄは、Ｉ−Ｉ’方向での左側面図を示す。図８Ｅは、Ｉ−Ｉ’方向での右側面図を示す。図８Ｆは、Ｉ−Ｉ’方向での上面図を示す。図８Ｇは、Ｉ−Ｉ’方向での底面図を示す。
【００４４】
音誘導チューブを有するマルチチャンネルイヤホン８００は、マルチチャンネルのスピーカを配置するべく穴８１１、８１３，８１５，８１７、および、８１９を有する３Ｄ外部チャンバ８１０、および外部チャンバ音誘導チューブに対応する、１つのチャンバを含んでいる。音誘導チューブを有するマルチチャンネルイヤホン８００は、ユーザの外耳に挿入することができる耳挿入タイプ音誘導チューブ、および、発音部穴８１４を、さらに含む。イヤホン８００は、ユーザの外耳にＡ方向に挿入され、音はユーザの耳に、耳挿入タイプ音誘導チューブ８１２の穴８１４を通して伝わる。イヤホン８００に必要なチャンバ容量は、スピーカの音および周波数特性に従い計算することができる。チャンバ容量は、３Ｄチャンバ８１０内の外部チャンバ音誘導チューブの長さＬおよび内部直径Ｒ、および、耳挿入タイプ音誘導チューブ８１４の長さおよび内部直径に従い計算できる。
【００４５】
本実施例では、３Ｄチャンバ８１０に配置されたスピーカ用の穴８１１、８１３、８１５、８１７、および８１９は、主にデジタルビデオディスク（ＤＶＤ）の５．１チャンネル音源に従い配置されている。もちろん、本発明は、５スピーカの配置に制限されてはいない。代わりに、ユーザの音質要求に従いさらにスピーカを追加することができ、あるいは他のオーディオ、ビデオ装置からの音源、例えば、６．１チャンネル音源、または、７．１チャンネルも採用することができる。さらにスピーカの数は、要求条件に従い調節できる。
【００４６】
スピーカ配置用の穴８１１、８１３、８１５、８１７、および、８１９の位置は、最適の音場を作るべくスピーカの特性に従い調節できる。例として、穴８１１および８１７の位置が、ＤＶＤの５．１チャンネル音源に従い配置されていれば、第１および第２メインスピーカが、それぞれ、穴８１１、および８１７の位置に配置され、サブウーハは、穴８１９の位置に配置でき、サラウンドスピーカは、穴８１３の位置に配置でき、さらにセンタスピーカは、穴８１５の位置に配置できる。
【００４７】
本発明の構造に、多様な変更または改良を、本発明の範囲または原理から逸脱することなく加えるこが可能であることは当業者にとって明らかである。上記のように、本発明の変更および改良が下記本発明の特許請求の範囲および同等に入るならば、本発明は、本発明の変更および改良も含むことを意図している。
【図１】
2007329885.tif 000003
【図２】
2007329885.tif 000004
【図３】
2007329885.tif 000005
【図４Ａ】
2007329885.tif 000006
【図４Ｂ】
2007329885.tif 000007
【図５Ａ】
2007329885.tif 000008
【図５Ｂ】
2007329885.tif 000009
【図５Ｃ】
2007329885.tif 000010
【図５Ｄ】
2007329885.tif 000011
【図５Ｅ】
2007329885.tif 000012
【図６】
2007329885.tif 000013
【図７】
2007329885.tif 000014
【図８Ａ】
2007329885.tif 000015
【図８Ｂ】
2007329885.tif 000016
【図８Ｃ】
2007329885.tif 000017
【図８Ｄ】
2007329885.tif 000018
【図８Ｅ】
2007329885.tif 000019
【図８Ｆ】
2007329885.tif 000020
【図８Ｇ】
2007329885.tif 000021
【外国語明細書】
2007329885.tif 000022
2007329885.tif 000023
2007329885.tif 000024
2007329885.tif 000025
2007329885.tif 000026
2007329885.tif 000027
2007329885.tif 000028
2007329885.tif 000029
2007329885.tif 000030
2007329885.tif 000031
2007329885.tif 000032
2007329885.tif 000033
2007329885.tif 000034
2007329885.tif 000035
2007329885.tif 000036
2007329885.tif 000037
2007329885.tif 000038
2007329885.tif 000039
2007329885.tif 000040
2007329885.tif 000041
2007329885.tif 000042
2007329885.tif 000043
2007329885.tif 000044
2007329885.tif 000045
2007329885.tif 000046